(57)【要約】【課題】  動物の興味を強く惹起する動物用可食玩具を提供すること。【解決手段】  牛皮などの可食材料よりなるシート２１及び紐３１，３２を備える。これらシートに形成した孔に紐３１を貫通させて形成した第一容器２を備える。この第一容器２には内部を見せるための窓３０を形成し及び／又は窓３０を形成可能である。この第一容器２には食品１００を固定するための紐３２を取り付け可能である。シート２１の端には紐を通してシート同士を連結するための孔開きフランジ４０を備え、この孔開きフランジ同士の間を区切り、且つ角部を丸めてある。紐３１，３２の少なくとも一部に動物の好む味又は香りを添加してもよく、容器２の内側面に動物の好む味又は香りを添加してもよい。【選択図】    図１
2006180736.tif 000002
【特許請求の範囲】
【請求項１】
可食材料よりなるシート及び紐を備え、これらシートに形成した孔に紐を貫通させて形成した第一容器を備え、この第一容器には内部を見せるための窓を形成し及び／又は窓を形成可能である動物用可食玩具。
【請求項２】
前記第一容器に食品を固定するための紐を取り付け可能であることを特徴とする請求項１記載の動物用可食玩具。
【請求項３】
前記第一容器内に前記シート及び紐で作成した第二容器を紐及び／又はシートの一部を介して連結したことを特徴とする請求項１又は２記載の動物用可食玩具。
【請求項４】
可食材料よりなるシート及び紐を備え、これらシートに形成した孔に紐を貫通させて形成した転動体を備え、この転動体には偏心状態で食品を取り付け可能な食品取付部を有し、自重によりこの食品は転動体の下側に位置することとなることを特徴とする動物用可食玩具。
【請求項５】
可食材料よりなるシート及び紐を備え、これらシートに形成した孔に紐を貫通させて形成した複数の開口部を有する本体を形成し、２の開口部に両端に食品を固定する紐を貫通させ、貫通させた紐の一方を引くことによりこの紐の他端が開口部内に収納されることとなることを特徴とする動物用可食玩具。
【請求項６】
前記シートの端に前記紐を通してシート同士を連結するための孔開きフランジを備え、この孔開きフランジ同士の間を区切り、且つ角部を丸めたことを特徴とする請求項１〜５のいずれかに記載の動物用可食玩具。
【請求項７】
前記紐の少なくとも一部に動物の好む味又は香りを添加したことを特徴とする請求項１〜６のいずれかに記載の動物用可食玩具。
【請求項８】
前記容器の内側面に動物の好む味又は香りを添加したことを特徴とする請求項１〜７のいずれかに記載の動物用可食玩具。
【請求項９】
前記可食材料が牛皮であることを特徴とする請求項１〜８のいずれかに記載の動物用可食玩具。
【発明の詳細な説明】
【技術分野】
【０００１】
本発明は、犬、猫などの愛玩動物が遊びながらペットフード等の食品を食するための動物用可食玩具に関する。
【背景技術】
【０００２】
従来、動物用の玩具は存在していたが、玩具自体を食することのできる動物用可食玩具は存在していなかった。動物用玩具の例としては、特許文献１，２に記載の如きものが知られている。また、動物用の牛皮を利用したガムとして、特許文献３のものが知られている。
【特許文献１】特開２０００−１２５６９８号
【特許文献２】特開２０００−２７９６５１号
【特許文献３】特開平１１−１２７７９６号
【０００３】
特許文献１のものは内蔵し孔の一致で取り出し可能なペット遊具により、また、特許文献２のものは内蔵する運動体により、いずれも動物の興味を惹き付けている。しかし、これらはいずれも破壊されないように形成されており、動物の興味を十分に惹き付けることができなかった。一方、特許文献３のものは、動物が食することはできるが、興味の惹起は未だ不十分であった。
【発明の開示】
【発明が解決しようとする課題】
【０００４】
かかる従来の実情に鑑みて、本発明は、動物の興味を強く惹起する動物用可食玩具を提供することを目的とする。
【課題を解決するための手段】
【０００５】
上記目的を達成するため、本発明に係る動物用可食玩具の特徴は、可食材料よりなるシート及び紐を備え、これらシートに形成した孔に紐を貫通させて形成した第一容器を備え、この第一容器には内部を見せるための窓を形成し及び／又は窓を形成可能なことにある。
【０００６】
同特徴によれば、第一容器内に例えばペットフード等の食品を入れておけば、孔から見え隠れする食品に興味をそそられ、動物はこれを食するために第一容器を噛み破ろうとし、当該玩具で遊び始める。シート及び紐は可食であるため、これらを噛み破ることで玩具自体も食することができ、また、噛み破って内部の食品を手に入れられるので、食物獲得本能を高度に刺激し、飽きることなく玩具で遊ぶこととなる。
【０００７】
ここで、前記第一容器に食品を固定するための紐を取り付け可能としてもよい。紐に結びつけた食品を獲得するために、動物はより興味を惹起される。そして、紐に結びつけた食品を、孔から第一容器内部に挿入することで、紐に接続された食品が第一容器内で動き、動物の興味はさらに強力に惹起されることになる。
【０００８】
また、前記第一容器内に前記シート及び紐で作成した第二容器を紐及び／又はシートの一部を介して連結してもよい。第三実施形態に例示するように、第二容器が第一容器内で動いて発音するので、動物の興味を惹起する。また、食品を第二容器内に収納することで、動物は２つの容器を噛み破らねばならず、容易に食品が入手できないことで、却って興味を惹起されることとなる。
【０００９】
本発明に係る動物用可食玩具の他の特徴は、可食材料よりなるシート及び紐を備え、これらシートに形成した孔に紐を貫通させて形成した転動体を備え、この転動体には偏心状態で食品を取り付け可能な食品取付部を有し、自重によりこの食品は転動体の下側に位置することとなることにある。第四実施形態に例示するように、同構成によれば、動物が食品を獲得しようとする度に食品は捕食しにくい下側に位置することとなり、食物獲得本能を高度に刺激する。
【００１０】
本発明に係る動物用可食玩具のさらに他の特徴は、可食材料よりなるシート及び紐を備え、これらシートに形成した孔に紐を貫通させて形成した複数の開口部を有する本体を形成し、本体の開口部に両端に食品を固定する紐を貫通させ、貫通させた紐の一方を引くことによりこの紐の他端が開口部内に収納されることとなることにある。
【００１１】
第一、七実施形態に例示するように、同構成によれば、一方の紐に結ばれた食品を捕食しようとすれば、他方の食品が開口部から本体内に収納されてしまい、動物は自らの行動により食品を獲得し難くなり、翻弄されるので、遊びに夢中になっていく。
【００１２】
前記シートの端に前記紐を通してシート同士を連結するための孔開きフランジを備え、この孔開きフランジ同士の間を区切り、且つ角部を丸めてもよい。第一実施形態に例示するように、同構成によれば、動物がフランジに噛みついたときに歯茎の傷付を防ぎ、また、フランジ同士の間が区切られているので、シートを屈曲されることが可能となる。
【００１３】
前記紐の少なくとも一部に動物の好む味又は香りを添加してもよい。また、前記容器の内側面に動物の好む味又は香りを添加してもよい。前記可食材料としては牛皮を適切に用いることができる。
【発明の効果】
【００１４】
上記本発明に係る動物用可食玩具の特徴によれば、動物の興味を強く惹起することが可能となった。本発明の他の目的、構成及び効果については、以下の発明の実施の形態の項から明らかになるであろう。
【発明を実施するための最良の形態】
【００１５】
次に、適宜添付図面を参照しながら、本発明をさらに詳しく説明する。第一実施形態を示す図１は、本発明の動物用可食玩具１で、第一容器２及び紐３により構成されている。第一容器２は２つの円錐体２３・２３の底部同士を突合せた形を成している。紐３は細長く線状に形成されている。
【００１６】
詳しくは、図１に示すように、第一容器２は、２個の円錐体２３・２３を形成する２枚の半円形のシート２１・２１と、３本の連結紐３１と、２本の引出紐３２により構成されている。図２に示すように半円形のシート２１は、半円形の円中心に位置する切欠部２２と、円形の外縁部にフランジ部４０と、直線の外縁部に、切欠部２２を中心として対を成した２個の台形状の縁部４２を有している。フランジ部４０は、各々の略中心に連結孔４３を有する半円状の鍔である孔開きフランジ４１を１８個有している。また、縁部４２にはそれぞれ５個の連結孔４３を有している。シート２１の平面部には、複数の略円形状の孔で構成された開口部３０を２個有している。
【００１７】
第一容器２、及び紐３は、共に牛革にて形成されている。この牛革は、キシリトール、フラノボイド、ソリビトール、茶カテキン等の溶液に浸け込むことで上述の成分を牛革に染み込ませている。第一容器２、及び紐３は、牛革を高温の蒸気で処理し、所定の金型を用いて加圧プレスして打ち抜いて形成されている。第一容器２及び紐３の外観は半透明となっている。この第一容器２、及び紐３は動物が食することが可能であり、尚且つ噛み破り、又は噛み切ることができる。
【００１８】
次に、玩具１の作成方法を説明する。図３（ａ）に示すようにシート２１の２個の縁部４２・４２を９０度折り曲げる。次に、図３（ｂ）に示すように、シート２１における一方の縁部４２の、切欠部２２に隣接する連結孔４３に連結紐３１を通す。その際、連結紐３１の一端には結び目３１ａを作成しておき、他端を連結孔４３に通す。連結孔４３を通した連結紐３１は、シート２１における他方の縁部４２の切欠部２２に隣接する連結孔４３を通す。
【００１９】
上述のように、切欠部２２に近い連結孔４３から、他方の縁部４２の切欠部２２に近い連結孔４３に、連結紐３１を通していき、その作業を双方の縁部４２の連結孔４３を交互に通るように連結紐３１を通す。その連結紐３１をゆるく引き締めて、図３（ｃ）に示すように、一方の縁部４２と他方の縁部４２が緩やかに対向する略円錐形状にする。
【００２０】
次に、図３（ｄ）に示すように、引出紐３２の一端に結び目３２ａを作り、引出紐３２の他端を切欠部２２に通す。このとき、引出紐３２を他端方向に引っ張ったときに、一端側に作成した結び目３２ａが切欠部２２から抜け落ちないことを確認する。この引出紐３２を切欠部２２に２本通す。次に図３（ｅ）に示すように、連結紐３１を強く引き締め、結び目３１ａを作成する。これにより縁部４２が密接し、円錐体２３が形成される。次に図３（ｆ）に示すように、１８個の孔開きフランジ４１を外方向に９０度折り曲げる。上述の一連の作業をもう一枚のシート２１においても行い、２個の円錐体２３を作成する。
【００２１】
次に図３（ｇ）に示すように、２個の円錐体２３・２３の底部同士を付き合わせる。その際、孔開きフランジ４１に設けてある連結孔４３が互いに対向するように、円錐体２３・２３の位置を調整する。また、第一容器２の内部に食品１００を入れる場合には、この円錐体２３・２３を付き合わせる段階で挿入する。この円錐体２３・２３の相対する連結孔４３に交互に連結紐３１を通していく。この際、連結紐３１の一端には結び目を作成しておき、他端を連結孔４３に通していく。１８個の連結孔４３すべてに連結紐３１を通し終えたならば、強く引き締め、連結紐３１の他端に結び目を作成する。上述した一連の作業により、玩具１が作成される。
【００２２】
以下において、玩具１の使用方法を説明する。第一容器２内に例えばペットフード等の食品１００を入れておけば、開口部３０から見え隠れする食品１００に興味をそそられ、動物にはこれを食するために第１容器２を噛み破ろうとし、当該玩具１で遊び始める。シート２１及び紐３は可食であるため、これらを噛み破ることで玩具１自体も食することができる。また、動物はシート２１を噛み破って内部の食品１００を手に入れられるので、食物獲得本能を高度に刺激し、飽きることなく玩具１で遊ぶことができる。
【００２３】
また、第一容器２から引出可能に延出した引出紐３２の先端に食品１００を取り付けることが可能である。これにより、動物は引出紐３２の先端に取り付けられた食品１００を獲得するために、より興味を惹起される。
【００２４】
次のような使用方法も可能である。図４に示すように、第一容器２の一方の円錐体２３に形成された開口部３０に引出紐３２の一方を挿入し、他方の円錐体２３の開口部３０まで引出紐３２を貫通させる。この貫通させた引出紐３２の両端に食品１００・１００を固定する。その際、食品１００・１００の大きさは、開口部３０より小さくしておく。これにより、引出紐３２の一端に固定された食品１００を捕食しようとすれば、他端に固定された食品１００が開口部３０から第一容器２内部に収納され、動物は自らの行動により食品１００を獲得し難くなり、翻弄されるので、遊びに夢中になっていく。
【００２５】
また、本実施形態では、円錐体２３の外縁に、連結孔４３を有するフランジ部４０が設けてある。このフランジ部４０は角部が丸められた半円形の孔開きフランジ４１が区切って配置されている。これにより、動物がフランジ部４０に噛み付いたときに歯茎の傷付を防ぐことができる。また、フランジ部４０が区切られていることから、円錐部２３を作成する際に、シート２１を容易に屈曲させることができる。また、孔開きフランジ４１が半円形であるため、玩具１の転動をスムーズに行わせることが可能となる。更には、玩具１が円錐を繋げた形状をしているため、転動した際に、玩具１の転動が不規則になり、この不規則な動きがより動物の好奇心を惹起させることができる。
【００２６】
また、第一容器２、及び紐３を形成している牛革には、キシリトール、フラノボイド、ソリビトール、茶カテキン等の成分を染み込ませている。これにより、動物が第一容器２、及び紐３を噛むことにより、動物の歯及び歯茎の保全、口臭予防、ストレス解消、歯垢の除去等の効果を得ることができる。
【００２７】
その他に、第一容器２の全体、又は引出紐３２のみに味、又は香りを添加することも可能である。例えば、動物が欲する鳥のササミや牛肉等の煮汁に第一容器２の全体、又は引出紐３２のみを漬け込むことで、味又は香りを添加することもできる。これにより、特に引出紐３２のみに味又は香りを付けると、その引出紐３２に動物が執着し、より動物の興味を惹起させることが可能となる。
【００２８】
更には、第一容器２を形成する円錐体２３・２３の内面に、動物が欲する味又は香り成分が塗布することも可能である。たとえば、蜂蜜や砂糖水等の甘い成分を塗布する。このように第一容器２を形成する円錐体２３・２３の内面に動物が欲する味又は香り成分を塗布することにより、動物はその第一容器２を噛み破って円錐体２３の内面の成分を得たいという欲求を惹起することができる。
【００２９】
上述のとおり、本実施形態の玩具１は高度な刺激を動物に与え、動物の興味を強く惹起することができる。これにより、例えば、動物だけで留守番をさせる場合、動物に玩具１を与えることにより、常に玩具１により高度に刺激されるため、動物は飽きることない。また、上記実施形態に記載した具体例は、すべて下記に記載する他の実施形態に組み合わせて適用可能である。
【００３０】
次に本発明の第二実施形態を、図５を用いて説明する。図５（ａ）に示すように本実施形態においてシート２１は方形をしている。方形のシート２１の周縁には、フランジ部４０が設けてあり、そのフランジ部４０には、連結孔４３が開けられている。また、このシート２１は３個の正方形が横方向に連結されて、該正方形の中央部分に開口部３０が設けられている。
【００３１】
この方形のシート２１を２個用いて玩具１を作成する。シート２１・２１を形成する３個の正方形の２箇所の連結部分を直角に曲げ、カタカナのコの字状にする。コの字状になったシート２１・２１を、コの字が密閉空間を形成するように対向させる。シート２１・２１の連結方法は連結孔４３に連結紐３１（図示せず）を通して縛り上げている。これにより、図５（ｂ）に示すようなキューブ状の玩具１を形成することができる。
【００３２】
本実施形態の玩具１においては、形状がキューブ状であるため、玩具１の転動がスムーズであることが特徴である。また、玩具１の内部に食品１００を挿入した場合では、外部のどの角度からも玩具１内部の食品１００が確認できるため、動物の食物獲得欲求を惹起させ、飽きることなく玩具１で遊ぶことが可能となる。
【００３３】
次に本発明の第三実施形態を、図６を用いて説明する。図６（ａ）に示すように、本実施形態の玩具１は、ピローケース状の第一容器２の内部に同じくピローケース状の第二容器２０が挿入されている。詳しくは、図６（ｂ）に示されるように、第一容器２は大シート１１、第二容器２０はシート２１で形成され、これらはミシン目Ｌで切り取り可能に連結されている。大シート１１及びシート２１は、図面において上部と下部が弓形に２箇所湾曲し、左右の真っ直ぐな辺にフランジ部４０を有している。フランジ部４０には連結孔４３が開けられている。図示していないが、大シート１１及びシート２１には開口部３０が設けてある。また、大シート１１及びシート２１の上部と下部の湾曲した曲線と相対した破線状の切り込み線が、大シート１１及びシート２１に設けてある。また、２箇所の湾曲部の連結部分には折り曲げ線が設けてある。大シート２１及びシート２１の上下の湾曲部にはそれぞれ連結孔４３が設けてある。
【００３４】
次に、本実施形態の玩具１の作り方を説明する。大シート１１及びシート２１をミシン目Ｌで切り離すと共にこれらの上下の湾曲部分を、破線の切り込み線に沿って直角に折り曲げておく。大シート１１及びシート２１の折り曲げ線に沿って、大シート１１及びシート２１を１８０度折り曲げる。
【００３５】
まず、１８０度折り曲げた大シート１１の内側にシート２１を挿入する。連結紐３１の一方に結び目を作っておく、連結紐３１の他方を大シート１１の上部の貫通孔４４を通し、次に、シート２１の上下の貫通孔４５を貫通させる。最後に大シート１１の下部の貫通孔４４に連結紐３１を通す。ここでいう、上部下部（上、下）とは、図６（ｂ）における上下のことである。
【００３６】
次に、シート２１のフランジ部４０・４０同士を接しさせ、フランジ部４０に設けられた連結孔４３に連結紐３１（図示せず）を用いて縛り上げる。これにより第二容器２０が形成される。次に、同じように、大シート１１のフランジ部４０・４０同士を接しさせ、フランジ部４０に設けられた連結孔４３に連結紐３１（図示せず）を用いて縛り上げる。これにより第二容器２０が内包された第１容器２が形成される。最後に、図６（ａ）第一容器２、及び第二容器２０を貫通させた連結紐３１の他端を縛り上げ、結び目を作る。これにより、第二容器２０が連結紐３１に支持されることになり、第二容器２０が第一容器２の内部に浮く（持ち上がる）状態となる。
【００３７】
これにより、玩具１が転動することにより、第二容器２０が第一容器２と衝突して音が発生する。このように転動して音が発生することにより、動物の興味を惹起させ、飽きずに遊ばせることができる。また、第二容器２０の内部、及び／又は第一容器２の内部にドックフード等の食品１００を挿入することで、より、音が発生しやすくなる。よって、より動物の興味を惹起させることができる。更には、第二容器２０のみに食品１００を収納することにより、動物は第一容器２、及び第二容器２０の二つを噛み破らなければならず、容易に食品１００が入手できないことで、却って興味を惹起させることとなる。また、第二容器２０のみに味や香りを染み込ませることにより、触れることが困難な第二容器２０を得るために動物がより真剣に第一容器２を噛み破ろうとする。よって、より興味を惹起させることができる。
【００３８】
また、本実施形態では、大シート１１とシート２１とを切り離さずに繋がったまま入れ子にして作成することも可能である。これにより、第二容器２０が、第一容器２の端に繋がった状態で浮くことになる。この場合、紐３１は連結孔４４，４６を貫通することになる。よって、第一容器２の内部の中心からずれて、第２容器２０が位置することにより、より良く音が鳴らすことができる。
【００３９】
次に本発明の第四実施形態を、図７を用いて説明する。本実施形態は、図７に示すように、２枚の円形のシート２１の中央に設けた連結孔４３が太く硬い連結紐３１で連結されることで転動体５０を形成している。転動体５０の内側には、連結紐３１を覆うように湾曲したシート状の食品取付部５１が設けられている。この食品取付部５１は断面が放物線状であり、放物線の上部が開放された形状となっている。これにより、この食品取付部５１は連結紐３１を中心に見ると偏芯した状態となる。この食品取付部５１には、開口部３０が設けられている。この開口部に、食品１００を挿入して紐で結び付けることにより、食品１００の自重により、食品は常に転動体５０の下側に位置することになる。
【００４０】
本実施形態においては動物が玩具１に接続された食品１００を獲得しようとする度に食品１００は捕食しにくい玩具１の下部に位置することになり、食物獲得本能を高度に刺激することができる。また、食品１００の自重により、転動体５０の重心位置が転動体５０の中心より偏芯することにより、玩具１が回転して移動する際には、不規則な回転スピードで移動することにより、動物の捕食本能を刺激することができる。
【００４１】
次に本発明の第五実施形態を、図８を用いて説明する。図８（ａ）は本実施形態の玩具１の外観図である。図８（ｂ）は本実施形態の玩具の展開図である。この図８（ｂ）に示すように、玩具１は、ひし形に切り抜かれた６個の開口部３０と、開口部３０と隣接する両外端が半ひし形に切り込まれた軸シート２４と、該軸シート２４の上下端に接続された２個の円形の円状シート２５により構成されている。軸シート２４におけるる円形シート２５が接続されている辺には、上下８個の孔開きフランジ４１が設けられている。この孔開きフランジ４１の中央には、連結孔４３が設けてある。軸シート２４の半ひし形に切り込まれていない辺の部分には縁部４２が４箇所設けられている。４箇所の縁部４２にはそれぞれ連結孔４３が２個設けてある。また、円状シート２５の外周には８個の連結孔４３と、略中央には大きめの窓３５が設けられている。
【００４２】
本実施形態の玩具１の作成方法を図８（ｂ）を用いて説明する。まず、円状シート２５を軸シート２４との境界部分を支点に直角に折り曲げる。次に、図面上部の円状シート２５の外周の連結孔４３と、軸シート２４の孔開きフランジ４１の連結孔４３とを連結紐３１で交互に通して縛り上げていく。他の連結紐３１の一端に結び目を作成する。この連結紐３１の他端を図面上部の円状シート２５中央の窓３５を通す。さらに、図面下部の円状シート２５中央の窓３５に連結紐３１を通す。軸シート２４の内部に食品１００を挿入する。次に、図面下部の円状シート２５の外周の連結孔４３と、軸シート２４の孔開きフランジ４１の連結孔４３とを連結紐３１で交互に通して縛り上げていく。最後に、円状シート２５の中央を貫通させた連結紐３１を強めに引っ張り、連結紐３１の他端に結び目を作成する。
【００４３】
この円状シート２５の中央を貫通させた連結紐３１の作用により、図８（ａ）に示すように、軸シート２４に設けられたひし形の開口部３０の開口面積を小さくすることができる。これにより、食品１００を外部から取りだすことが困難になる。また、円状シート２５の中央を貫通させた連結紐３１を引っ張る程度により、食品１００の取出しの難易度を調整することが可能となる。さらに、連結紐３１を最大限引っ張ることで、一方の円状シート２５側だけに食品１００を偏らせることが可能となる。これにより、玩具１の転動が不規則になり、より興味を惹起させることができる。
【００４４】
また図８（ｃ）に示すように、玩具１の内部に骨状の大きめの食品１００を挿入し、ひし形の開口部３０の部分を外部から紐で括り上げることも可能である。この場合、円状シート２５の部分を噛み切られたとしても、食品１００が紐により軸シート２４部分に固定されていることから、容易に食品１００だけを取り出して食することができない。よって、動物の興味を長い時間維持させることが可能となる。
【００４５】
次に本発明の第六実施形態を、図９を用いて説明する。図９（ａ）は本実施形態の外観図である。本実施形態は、図９（ｂ）に示される円形シート２１を１２枚重ねることで形成されている。この円形シート２１は円中央に中央連結孔４３ａと、円形シート２１の周縁に１６個の周縁連結孔４３ｂと、円形シートの内側に大きさが異なる４つの開口部３０ａ、３０ｂ、３０ｃ、３０ｄを有している。
【００４６】
本実施形態の玩具１はこの円形シート２１を１２枚重ね、中央連結孔４３ａに、一端に結び目を有した連結紐３１を貫通させ、他端にも結び目を作成することで形成されている。そのときの側面図が図９（ｃ）となる。このように、結び目があることにより、玩具１が斜めに置かれることになり、玩具１に動きを生じさせることができる。また、１６個の周縁連結孔４３ｂにも適宜連結紐３１を貫通させ、締め上げている。
【００４７】
本実施形態の場合、図９（ａ）に示す最上面の円形シート２１と、最下面の円形シート２１だけ、他の１０枚の円形シート２１と位相をずらすことにより、４個の開口部３０ａ、３０ｂ、３０ｃ、３０ｄの部分に空間を生じさせることができる。この空間に食品１００を挿入することで、最上面、又は最下面の円形シート２１を噛み破るか、中央連結４３ａ又は周縁連結孔４３ｂを貫通させた連結紐３１を噛み切るかでないと空間の食品１００を得ることができない。また、周縁連結孔４３ｂを貫通させる連結紐３１の数を調整することで、玩具１の食品１００を得られる難易度を調整することが可能である。
【００４８】
また、本実施形態において、最上部の円形シート２１から最下段の円形シート２１まで、少しだけ（例えば３度程度）位相をずらして配置することも可能である。そうすることによって、図９（ｄ）に示すような玩具１の内部に斜めになった４つの空間が出現する。この斜めになった空間と同じような大きさの食品１００を挿入することにより、最上部の円形シート２１を噛み破ったとしても、空間内部の食品１００が、他の円形シート２１に引っかかって取り出すことが困難になる。つまりは、連結紐３１をすべて噛み切るか、円形シート１２の殆どを噛み切らなければ、空間内部の食品１００を得ることができないという、非常に難易度の高い玩具1を提供することが可能になる。
【００４９】
次に本発明の第七実施形態を、図１０を用いて説明する。図１０は本実施形態の外観図である。本実施形態は、シート２１を円錐状に形成し、円錐の頂点部分と側面部に連結孔４３を設けて、第一容器２を形成している。図１０に示すように、６個の
第一容器２を側面部に設けた連結孔４３(図示せず)に連結紐３１（図示せず）を通して縛り上げている。また、円錐の頂点部分にある連結孔４３に引出紐３２を挿入し、対向する第一容器２から引出紐３２を引き出している。この引出紐３２は玩具１より引出して動かすことが可能である。この引出紐３２の両端には食品１００が固定されている。
【００５０】
本実施形態の玩具の場合、引出紐３２の一端に取り付けられた食品１００を引っ張ることにより、他端に取り付けられた食品１００が、第一容器２の内部に引き込まれてゆく。よって、この引き込まれた食品１００を取り出すことが容易でなくなる。これにより、動物の興味を強く惹起することが可能になる。
【００５１】
次に本発明の第八実施形態を、図１１を用いて説明する。図１１（ａ）は本実施形態の外観図である。また、図１１（ｂ）は本実施形態の第一容器２の展開図である。本実施形態は、図１１（ｂ）に示される第一容器２を三角錐状に組み上げ、その三角錐状の第一容器２を４つ組み合わせることで形成されている。第一容器２の組み上げ方や、第一容器２の４つを組み合わせる方法については上述の実施形態に準ずる。
【００５２】
本実施形態の場合、４つの第一容器２のどれかに食品１００を挿入しておけば、玩具１の重心がアンバランスになり、不規則に転動し、動物の興味を強く惹起することが可能になる。また、４個の三角錐を組み上げることにより、内部に三角錐の空間が出現する。この内部空間に食品１００を挿入することにより、容易に食品１００を入手することが困難であるため、動物の興味を強く惹起することが可能になる。
【００５３】
次に本発明の第九実施形態を、図１２を用いて説明する。図１２は本実施形態９の玩具１の外観図である。本実施形態は、４個の半円筒形状のシート２１が連結紐３１によって、接続されている。詳しくは、半円筒形状のシート２１の頂上付近に連結孔４３が設けてあり、相対するシート２１同士を連結紐３１で接続している。この玩具１の内部空間の連結紐３１に食品１００が接続されている。
【００５４】
本実施形態の玩具１においては、玩具１の内部空間に食品１００が接続されているので、容易に食品１００を取得することができない。また、この玩具１は周縁が半円筒形状に形成されているので、転動がステップ的になる。このステップ的な転動によって動物の興味を強く惹起させることが可能となる。
【００５５】
上記各実施形態は組み合わせて実施することが可能である。状況に応じて味の代わりに香りを付与することも可能であり、また、香りの代わりに味を付与してもよい。紐３１，３２や孔の形は適宜変更が可能である。また、第三実施形態でのみ第一容器の中に第二容器を収納する例を例示したが、各実施形態においても第一容器の中に第二容器を収納しても構わない。また、３以上の容器を入れ子にすることも可能である。入れ子状態においてほぼ同形状で大きさの異なる容器を用いてもよいし、形状の全く異なる容器を互いに入れ子にすることも可能である。紐や容器を作成する材料としては、牛皮を適切に用いることができるが、牛皮以外の皮や、皮以外の歯ごたえのある可食材料を用いてもよい。また、ハチミツなどの上述の香り（匂い）は、上記シート２１に付与する他、食品１００や布に浸透させて容器２，２０内に収納してもよい。
【産業上の利用可能性】
【００５６】
本発明は、犬や猫等の愛玩動物が遊びながらペットフード等を食する動物用可食玩具として利用することができる。
【図面の簡単な説明】
【００５７】
【図１】第一実施形態の玩具の外観図である。
【図２】第一実施形態のシートを示す平面図である。
【図３】第一実施形態の玩具の組み立て方を示す概略図である。
【図４】第一実施形態の玩具の他の使用例を示す外観図である。
【図５】第二実施形態の玩具を示す平面図と外観図である。
【図６】第三実施形態の玩具を示す展開図と外観図である。
【図７】第四実施形態の玩具を示す外観図である。
【図８】第五実施形態の玩具を示す外観図と展開図である。
【図９】第六実施形態の玩具を示す外観図、平面図、側面図である。
【図１０】第七実施形態の玩具を示す概略図である。
【図１１】第八実施形態の玩具を示す概略図と平面図である。
【図１２】第九実施形態の玩具を示す概略図である。
【符号の説明】
【００５８】
１    ：動物用可食玩具
２    ：第一容器
２０：第二容器
２１：シート
２２：切欠部
２３：円錐体
２４：軸シート
２５：円状シート
３    ：紐
３０：開口部
３１：連結紐、３１ａ：結び目
３２：引出紐、３２ａ：結び目
３３：窓
４０  ：フランジ部
４１：孔開きフランジ
４２：縁部
４３：連結孔
４４、４５、４６：貫通孔
５０：転動体
５１：食品取付部
１００：食品
Ｌ：切り取り部
【図１】
2006180736.tif 000003
【図２】
2006180736.tif 000004
【図３】
2006180736.tif 000005
【図４】
2006180736.tif 000006
【図５】
2006180736.tif 000007
【図６】
2006180736.tif 000008
【図７】
2006180736.tif 000009
【図８】
2006180736.tif 000010
【図９】
2006180736.tif 000011
【図１０】
2006180736.tif 000012
【図１１】
2006180736.tif 000013
【図１２】
2006180736.tif 000014